(57)【要約】【課題】  ズボンの腰部を後方に牽引したとき、ウエストバンドの前側中央部が肌蹴ることを、特別な操作を必要とすることなく、簡単、容易に防止できるようにし、ズボンの仕上げ作業の能率の向上を図る。【解決手段】  ズボン１の腰部１ａを被せてズボン１を懸吊状に取り付けるためのセット部２と、このセット部２に吊り下げたズボン１の腰部１ａの後側を後方に牽引して腰部１ａを緊張する腰張り機構３と、この腰張り機構３の始動用のフットスイッチ４とを備える。またズボン１のウエストバンド１ｂの前側中央部を押さえる前押さえ１０と、フットスイッチ４が踏まれると腰張り機構３でズボン１の腰部１ａを緊張させ、フットスイッチ４から足が離されると前押さえ１０でウエストバンド１ｂの前側中央部を押さえる制御信号を出力する制御部１５とを備えて形成する。【選択図】      図１
2007117390.tif 000002
【特許請求の範囲】
【請求項１】
ズボンの腰部を被せてズボンを懸吊状に取り付けるためのセット部と、このセット部に吊り下げたズボンの腰部の後側を後方に牽引して腰部を緊張する腰張り機構と、この腰張り機構の始動用のフットスイッチとを備えて形成されているズボン仕上げ機であって、上記のズボンのウエストバンドの前側中央部を押さえる前押さえと、上記のフットスイッチが踏まれると上記の腰張り機構でズボンの腰部を緊張させ、フットスイッチから足が離されると上記の前押さえでウエストバンドの前側中央部を押さえる制御信号を出力する制御部とを備えて形成されていることを特徴とするズボン仕上げ機。
【請求項２】
ズボンの腰部を被せてズボンを懸吊状に取り付けるためのセット部と、このセット部に吊り下げたズボンの腰部の後側を後方に牽引して腰部を緊張する腰張り機構と、この腰張り機構の始動用のフットスイッチとを備えて形成されているズボン仕上げ機であって、上記のズボンのウエストバンドの前側中央部を押さえる前押さえと、上記のフットスイッチが踏まれると上記の前押さえでウエストバンドの前側中央部を押さえ、フットスイッチから足が離されると上記の腰張り機構でズボンの腰部を緊張させる制御信号を出力する制御部とを備えて形成されていることを特徴とするズボン仕上げ機。
【発明の詳細な説明】
【技術分野】
【０００１】
本発明は、ズボン仕上げ機に関し、更に詳しくは洗濯したズボンを吊り下げた状態で緊張仕上げできるよう形成したズボン仕上げ機に関するものである。
【背景技術】
【０００２】
従来この種の仕上げ機としては、例えばズボンの腰部を被せてズボンを懸吊状に取り付けるためのセット部と、このセット部に吊り下げたズボンの腰部の後側を後方に牽引して腰部を緊張させる腰張り機構と、この腰張り機構の始動用のフットスイッチとを備えて形成しているものがある（例えば特許文献１参照）。
【０００３】
ところで従来、この種の仕上げ機では、腰部が後方に牽引されることでウエストバンドの前側中央部が肌蹴ないよう、ズボンをセット部に被せるとき、前側中央部の裏側のホックを掛ける必要があった。
従って従来は、この種のホック掛け作業に煩わしさを伴い、その分、作業能率が低下するのを避けられなかった。
而してこの場合、ウエストバンドの前側中央部を押さえるための押さえ鏝を単に設けるのでは、この押さえ鏝用の特別な操作が必要になり、ホック掛け作業と大差がない。またこの場合は、押さえ鏝を操作するために、ズボンから一時的に手を離さなければならず、ズボンがずり落ちる原因にもなり易い。
【特許文献１】特開２００２−２１０２９８号公報
【発明の開示】
【発明が解決しようとする課題】
【０００４】
本発明は、このような従来の実情に鑑み、提案されたものである。
従って本発明の解決しようとする技術的課題は、ズボンの腰部を後方に牽引したとき、ウエストバンドの前側中央部が肌蹴ることを、特別な操作を必要とすることなく、簡単、容易に防止できるようにし、ズボンの仕上げ作業の能率の向上を図ることができるよう形成した、使い勝手の良いズボン仕上げ機を提供することにある。
【課題を解決するための手段】
【０００５】
本発明は、上記の課題を解決するため、次のような技術的手段を採る。
即ち本発明は、図１〜図４に示されるように、ズボン１の腰部１ａを被せてズボン１を懸吊状に取り付けるためのセット部２と、このセット部２に吊り下げたズボン１の腰部１ａの後側を後方に牽引して腰部１ａを緊張する腰張り機構３と、この腰張り機構３の始動用のフットスイッチ４とを備えて形成されているズボン仕上げ機であって、上記のズボン１のウエストバンド１ｂの前側中央部を押さえる前押さえ１０と、上記のフットスイッチ４が踏まれると上記の腰張り機構３でズボン１の腰部１ａを緊張させ、フットスイッチ４から足が離されると上記の前押さえ１０でウエストバンド１ｂの前側中央部を押さえる制御信号を出力する制御部１５とを備えて形成されていることを特徴とする（請求項１）。
ここで、フットスイッチ４とは、ペダルを備え、ペダルを足で踏むことで電気回路を開閉する装置を意味する。本発明の場合、制御部１５としては、例えばマイクロコンピュータやシーケンサがある。
【０００６】
また本発明の課題を達成する他の構成としては、図１〜図３、及び図５に示されるものがある。
即ちこの本発明のズボン仕上げ機は、ズボン１の腰部１ａを被せてズボン１を懸吊状に取り付けるためのセット部２と、このセット部２に吊り下げたズボン１の腰部１ａの後側を後方に牽引して腰部１ａを緊張する腰張り機構３と、この腰張り機構３の始動用のフットスイッチ４とを備えて形成されているズボン仕上げ機であって、上記のズボン１のウエストバンド１ｂの前側中央部を押さえる前押さえ１０と、上記のフットスイッチ４が踏まれると上記の前押さえ１０でウエストバンド１ｂの前側中央部を押さえ、フットスイッチ４から足が離されると上記の腰張り機構３でズボン１の腰部１ａを緊張させる制御信号を出力する制御部１５とを備えて形成されていることを特徴とする（請求項２）。
【０００７】
この請求項２に係る本発明は、フットスイッチ４を踏むと前押さえ１０でウエストバンド１ｂの前側中央部を固定し、離すと腰張りが開始する。従ってこれによると、作業者にとって作業手順が呑み込み易くなるだけではなく、腰張り機構３が動作する前に、ウエストバンド１ｂの前側中央部を固定できるから、ウエストバンド１ｂの前側中央部を誤って肌蹴させることがない。ここで、フットスイッチ４の意味は、上例と同様である。
【発明の効果】
【０００８】
本発明のズボン仕上げ機は、このようにズボンのウエストバンドの前側中央部を押さえる前押さえと、またフットスイッチを踏む、離す、という表裏一体の操作で腰張り機構と前押さえを制御する制御部とを備えて形成している。
従って本発明の場合は、ズボンの腰張りによるズボンの前側の肌蹴を、フットスイッチのペダルを踏む、離す、という表裏一体の操作で、簡単、容易に防止でき、ズボンの仕上げ作業を能率良く、且つ楽に行うことができる。
【発明を実施するための最良の形態】
【０００９】
以下、本発明を実施するための最良の形態を説明する。
図１等において、１はズボンであり、２はこのズボン１の腰部１ａを被せてズボン１を懸吊状に取り付けるためのセット部である。３は、このセット部２に吊り下げたズボン１の腰部１ａの後側を後方に牽引して腰部１ａを緊張する腰張り機構である。また４は、この腰張り機構３を始動するためのフットスイッチである。
【００１０】
上記のセット部２は、ズボン１の腰部１ａを被せたときズボン１の前側内面がフィットするパッド２ａと、このパッド２ａにズボン１のタッグを固定するための左右一対のタッグ押さえ２ｂと、通気性を有する生地で形成された膨張袋２ｃとを備えて形成されている。パッド２ａは、柱状フレーム５の上部から前方に突き出されている支持フレーム６の前端部に、垂下状に設けられている。７は、タッグ押さえ２ｂを制御する駆動装置としての第１エアシリンダである。タッグ押さえ２ｂは、パッド２ａの側方位置から縦軸８（図３参照）を中心に、前方へ所定角度回動自在に形成され、この第１エアシリンダ７のロッドが延伸するとズボン１のタッグをパッド２ａに押し付けて固定し、ロッドが収縮すると縦軸８に仕込まれたバネ（図示せず）の作用でパッド２ａの側方位置に復帰するよう形成されている。また膨張袋２ｃは、スチームや熱風で膨張し、ズボン１の全体を緊張仕上げするよう形成されている。
【００１１】
また上記の腰張り機構３は、図１Ａ、図２に示されるように、ズボン１の腰部１ａの後側を前後方向に移動させる動作体３ａと、この動作体３ａをスライドさせるためロッドを前後方向に向けて柱状フレーム５に設けられている駆動装置としての第２エアシリンダ３ｂと、この第２エアシリンダ３ｂのロッドの伸縮動作を動作体３ａに伝えるため動作体３ａと柱状フレーム５とに傾斜状に架け渡されているリンク装置３ｃとを備えて形成されている。動作体３ａは、ズボン１の腰部１ａの後側内面にフィットするよう、後方に凸湾曲状に形成されると共に、案内レール３ｄに係合して転動するローラ３ｅで円滑にスライド移動するよう形成されている。リンク装置３ｃは、上端が動作体３ａに枢着されている長寸のリンク片３ｃ１と、このリンク片３ｃ１の下端の長孔３ｃ２に前端が枢着されている短寸のリンク片３ｃ３とで形成され、このリンク片３ｃ３の後端は柱状フレーム５に固定されている。９は、セット部２に吊り下げられたズボン１の裾の近傍位置を挟み付けて固定するクランパーである。このクランパー９は、柱状フレーム５に上下動自在に設けられている。
【００１２】
１０は、セット部２に吊り下げられたズボン１のウエストバンド１ｂの前側中央部を押さえる前押さえである。１１は、この前押さえ１０を駆動する駆動装置としての第３エアシリンダである。この第３エアシリンダ１１は、支持フレーム６の前端部の内側に、ロッドを下向きにして基端部１１ａが枢着されている。前押さえ１０の上部は、この第３エアシリンダ１１のロッドの下端に、横軸１２を介して枢着されている。前押さえ１０の上部の後側は、支持フレーム６の前端部の内側所定位置に、軸１３を介して枢着されている。１４は、前押さえ１０の復帰動作を司るセンサーである。このセンサー１４は、例えばリミットスイッチで構成され、この実施形態では動作体３ａが始動位置に戻ると、信号を出力するよう、所定の位置に設けられている。
【００１３】
１５は、フットスイッチ４が踏まれると腰張り機構３でズボン１の腰部１ａを緊張させ、フットスイッチ４から足が離されると、前押さえ１０でウエストバンド１ｂの前側中央部を押さえる制御信号を出力する制御部である。この制御部１５は、マイクロコンピュータで構成され、柱状フレーム５の側面に設けられている制御盤１６に内蔵されている。この制御部１５の入力ポートには、上記のフットスイッチ４と共に、この実施形態ではセンサー１４が電気的に接続されている。また出力ポートには、腰張り機構３の駆動装置としての第２エアシリンダ３ｂを制御する電磁弁や、前押さえ１０の駆動装置としての第３エアシリンダ１１を制御する電磁弁が、電気的に接続されている。制御部１５は、フットスイッチ４のペダルが踏まれると、腰張り機構３の第２エアシリンダ３ｂのロッドが収縮するよう、電磁弁に制御信号を出力する。またこの制御部１５は、例えばフットスイッチ４のペダルが踏まれたときのＬ（又はＨ）能動信号と、ペダルから足が離されてペダルが復帰したときのＨ（又はＬ）能動信号とのアンド条件が成立すると、前押さえ１０の第３エアシリンダ１１がロッドを延伸するよう、電磁弁に制御信号を出力する。
【００１４】
次に本発明の作用の一例を、図４等に従って説明する。
先ず作業者は、ズボン１の腰部１ａをセット部２に下方から被せる。次に左右一対のタッグ押さえ２ｂを夫々手動でズボン１のタッグに向けて回動し、ズボン１のタッグをこのタッグ押さえ２ｂでパッド２ａに固定してズボン１をセット部２に懸吊状に取り付ける。
【００１５】
次に作業者が、フットスイッチ４のペダルを踏む。すると、腰張り機構３の駆動装置としての第２エアシリンダ３ｂのロッドが収縮する。第２エアシリンダ３ｂのロッドが収縮すると、動作体３ａが後方にスライド移動し、ズボン１の腰部１ａを緊張する。
次に作業者が、ペダルから足を離すと、制御部１５からの信号により、前押さえ１０の駆動装置としての第３エアシリンダ１１のロッドが延伸する。すると、前押さえ１０が、図１Ａにおいて、軸１３を中心に反時計方向（矢示の方向）に回動し、ウエストバンド１ｂの前側中央部を押圧してパッド２ａに固定する。
【００１６】
そして動作体３ａの後退により腰部１ａが緊張されると、蒸気が所定時間だけ噴射され、これにより膨張袋２ｃが膨張し、ズボン１を蒸らして緊張する。またズボン１の股下部分は、クランパー９の下降動作により緊張される。その後、膨張袋２ｃに熱風が供給され、ズボン１が乾燥された後、駆動装置としての第２エアシリンダ３ｂのロッドが延伸する。これにより動作体３ａが、前方にスライド移動して腰部１ａが復帰し、またタッグ及び裾の固定状態が解除される。そして腰部１ａが復帰すると、この実施形態ではセンサー１４がオンになり、駆動装置としての第３エアシリンダ１１のロッドが収縮する。すると、前押さえ１０が、図１Ａにおいて、軸１３を中心に時計方向に回動する。これによりズボン１は、ウエストバンド１ｂの前側中央部の固定が解かれ、セット部２から下方に取り外すことができる。
【００１７】
次に請求項２記載の本発明の好適な一実施形態を、図１〜図３、及び図５に従って説明する。この本発明の仕上げ機は、制御部１５のメモリ構成が、上例と異なる点を除き、他の構成は上例と同一である。
【００１８】
即ちこの本発明は、ズボン１の腰部１ａを被せてズボン１を懸吊状に取り付けるためのセット部２と、このセット部２に吊り下げたズボン１の腰部１ａの後側を後方に牽引して腰部１ａを緊張させる腰張り機構３と、この腰張り機構３の始動用のフットスイッチ４とを備えて形成されている。またこの本発明は、セット部２に吊り下げられたズボン１のウエストバンド１ｂの前側中央部を押さえる前押さえ１０と、フットスイッチ４が踏まれると上記の前押さえ１０でウエストバンド１ｂの前側中央部を押さえ、フットスイッチ４から足が離されると上記の腰張り機構３でズボン１の腰部１ａを緊張させる制御信号を出力する制御部１５とを備えて形成されている。セット部２や腰張り機構３等の構成は、上例と同様であるため、詳しい説明は省略する。
【００１９】
而してこの本発明では、フットスイッチ４のペダルが踏まれると、前押さえ１０の駆動装置としての第３エアシリンダ１１のロッドが延伸する。すると前押さえ１０が、図１Ａにおいて、軸１３を中心に反時計方向（矢示の方向）に回動し、ウエストバンド１ｂの前側中央部を固定する。次に作業者が、フットスイッチ４のペダルから足を離すと、腰張り機構３の駆動装置としての第２エアシリンダ３ｂのロッドが収縮する。これにより、動作体３ａが後退してズボン１の腰部１ａが緊張される。なおその他の作用は、上例と同様であるため、詳しい説明は省略する。
この本発明のズボン仕上げ機は、このようにフットスイッチ４のペダルを踏むと、前押さえ１０が動作してウエストバンド１ｂの前側中央部を固定し、フットスイッチ４のペダルから足を離すと、腰張り機構３が動作する。従ってこれによれば、ウエストバンド１ｂの前側中央部を肌蹴させることなく、ズボン１を確実に緊張仕上げできる。
【００２０】
以上の処において、上記のセンサー１４は、動作体３ａの復帰を検出するのに代え、例えばクランパー９の復帰を検出して前押さえ１０を制御するよう、例えばクランパー９の始動位置に設けられるのでも良い。本発明は、前押さえ１０の復帰を作業者が専用のスイッチを入れることで実現するのでも良いが、この種のセンサー１４を備える場合は、前押さえ１０の復帰操作にかかる手間暇を一掃できる。
【図面の簡単な説明】
【００２１】
【図１】本発明のズボン仕上げ機の好適な一実施形態を示し、Ａは要部側面図、Ｂは要部ブロック図である。
【図２】同上仕上げ機の使用状態時の要部側面図である。
【図３】同上仕上げ機の使用状態時の要部正面図である。
【図４】同上仕上げ機の作用を説明するためのフローチャートである。
【図５】同上仕上げ機の作用を説明するためのフローチャートである。
【符号の説明】
【００２２】
１      ズボン
１ａ    腰部
１ｂ    ウエストバンド
２      セット部
３      腰張り機構
４      フットスイッチ
１０    前押さえ
１５    制御部
【図１】
2007117390.tif 000003
【図２】
2007117390.tif 000004
【図３】
2007117390.tif 000005
【図４】
2007117390.tif 000006
【図５】
2007117390.tif 000007